(57)【要約】  音を発生するためのアセンブリに関する。本発明は、互いに固定する、又は可動とすることができる面を１つの実施形態において含む複数の構成を使用して音を生成するためのアセンブリを提供する。これらの面は、実装される、熱的に活性化される、恒久的に磁化される、又は、それだけには限らないが、機械的な活性化を含む任意の他の手段によって活性化される、電磁変換器、静電変換器、圧電変換器とすることができる。これらの面は、様々な構成で、自由浮動にする、拘束する、空中浮揚させる、又はこれらの組み合わせとすることができる。これらの面はそれ自体で折り畳める、丸められる、広げられる、特殊化される、又はこれらの任意の組み合わせとすることができる。【選択図】  図１Ａ
2019530375.tif 000002
【特許請求の範囲】
【請求項１】
音を発生するアセンブリであって、
静電場発生構造体に結合された第１の面と、
静電場感応構造体に結合された第２の面と
を備え、
前記電磁場発生構造体／前記静電場発生構造体による電磁場／静電場の発生に応答して前記第１の面及び前記第２の面の少なくとも一方が、前記第１の面及び前記第２の面の他方に対して押し動かされるように、  前記第１の面と前記第２の面は互いに離間されている、アセンブリ。
【請求項２】
前記第１の面及び前記第２の面が、同軸上に配置された環状面である、請求項１に記載のアセンブリ。
【請求項３】
前記第１の面及び前記第２の面の一方がダイアフラムを備える、請求項２に記載のアセンブリ。
【請求項４】
前記第１の面及び前記第２の面の一方が、伸張型構造体を有するダイアフラムを備える、請求項１に記載のアセンブリ。
【請求項５】
前記第１の面と前記第２の面が複数の弾性係留具によって相互連結されている、請求項１に記載のアセンブリ。
【請求項６】
前記第１の面及び前記第２の面の一方がダイアフラムを具備し、前記ダイアフラムが、可撓性を有する相互連結された複数のダイアフラムセグメントを備える、請求項１に記載のアセンブリ。
【請求項７】
前記第１の面及び前記第２の面のそれぞれが、前記第１の面と前記第２の面が互いに離間されるようにスペーサの両側に取り付けられている、請求項１に記載のアセンブリ。
【請求項８】
前記第１の面及び前記第２の面の一方又は両方が螺旋面を備える、請求項１に記載のアセンブリ。
【請求項９】
前記第１の面及び前記第２の面の少なくとも一方が１つ以上の面剛性調整装置を備える、請求項１に記載のアセンブリ。
【請求項１０】
前記第１の面及び前記第２の面の一方がダイアフラムであり、前記ダイアフラムに荷電粒子、又は荷電層、又は磁気感応粒子、又は磁気感応層が配置されている、請求項１に記載のアセンブリ。
【請求項１１】
前記ダイアフラムが荷電粒子又は磁気感応粒子の１つ以上の層を備え、前記荷電粒子又は前記磁気感応粒子の各層が２つのダイアフラム基板層の間に配置されている、請求項１０に記載のアセンブリ。
【請求項１２】
前記第１の面及び前記第２の面の一方は、１つ以上の導電性構造体が付加された状態で又は削除された状態で形成されたダイアフラムを備える、請求項１に記載のアセンブリ。
【請求項１３】
前記第１の面及び前記第２の面の一方が１つ以上の導電性構造体を有するダイアフラムを備え、各導電性構造体が２つのダイアフラム基板層の間に配置されている、請求項１に記載のアセンブリ。
【請求項１４】
前記第１の面及び前記第２の面の一方がダイアフラムを具備し、前記ダイアフラムが導電性メッシュ構造体を備え、非導電性フィラ材料が前記メッシュ構造体の導電性要素間の空間を占めており、各空間内のフィラ材料の外部周辺が、少なくとも１つの隣り合う空間内のフィラ材料の外部周辺から隔てられている、請求項１に記載のアセンブリ。
【請求項１５】
前記第１の面及び前記第２の面の一方がダイアフラムを具備し、前記ダイアフラムが導電性メッシュ構造体を備え、空隙が前記メッシュ構造体の導電性要素間の空間を占めている、請求項１に記載のアセンブリ。
【請求項１６】
前記第１の面及び前記第２の面の一方に導電性構造体が配置されており、前記第１の面及び前記第２の面の他方に電磁場感応構造体が配置されており、前記導電性構造体及び前記電磁場感応構造体が実質的に同一の構造を有する、請求項１に記載のアセンブリ。
【請求項１７】
前記第１の面及び前記第２の面の一方がダイアフラムを備え、前記ダイアフラムに複数の導電性構造体が配置されており、前記複数の導電性構造体のそれぞれが互いに電気的に分離されている、請求項１に記載のアセンブリ。
【請求項１８】
前記複数の導電性構造体のうちの１つが電流を流すように構成されており、前記複数の導電性構造体の少なくとも１つが、外部から加えられたどの電流とも分離されている、請求項１７に記載のアセンブリ。
【請求項１９】
前記複数の導電性構造体のうちの１つが第１の電流を流すように構成されており、前記複数の導電性構造体のうちの別の１つが第２の電流を流すように構成されており、前記第１の電流と前記第２の電流が互いに電気的に分離されている、請求項１７に記載のアセンブリ。
【請求項２０】
前記複数の導電性構造体のうちの１つが、前記複数の導電性構造体の少なくとも１つのうちの他のものと比較して異なる構造的特性を有する、請求項１７に記載のアセンブリ。
【請求項２１】
前記第１の面及び前記第２の面の一方がダイアフラムを備え、前記ダイアフラムが第１の断面厚さを有し、少なくとも１つの追加のダイアフラム領域が、第１の断面幅と等しくない断面厚さを有する、請求項１に記載のアセンブリ。
【請求項２２】
前記第１の面及び前記第２の面の一方がダイアフラムを備え、前記ダイアフラムが入力ダイアフラムとして構成されている、請求項１に記載のアセンブリ。
【請求項２３】
前記第１の面及び前記第２の面の一方がダイアフラムを備え、前記ダイアフラムがマイクロフォンダイアフラムとして構成されている、請求項１に記載のアセンブリ。
【請求項２４】
別個の前記複数の導電性構造体のうちの１つが、第１の音声チャネルに対応する第１の入力信号流に接続されており、前記複数の別個の導電性構造体のうちの別の１つが、第２の音声チャネルに対応する第２の入力信号流に接続されている、請求項１７に記載のアセンブリ。
【請求項２５】
前記第１の面及び前記第２の面の一方がダイアフラムを具備し、前記ダイアフラムが、流体密封区画を形成するように一体的に封止された複数の非多孔質膜を備え、前記流体密封区画が、大気圧より高いガスを使用して拡張される、請求項１に記載のアセンブリ。
【請求項２６】
前記流体密封区画の境界が、
前記複数の非多孔質膜が上に取り付けられている剛性スペーサと、
前記流体密封区画の周辺部を画定する１つ以上の留め具と
のうちの１つ以上によって画定される、請求項２５に記載のアセンブリ。
【請求項２７】
音を発生するアセンブリであって、
１つ以上の波発生面であり、前記波発生面の動きが音波を発生するように構成されており、前記１つ以上の波発生面が、いずれか１つの往復運動、周期運動、回転運動又は楕円運動が得られるように構成されている、１つ以上の波発生面と、
前記波発生面のうちの１つ以上を、音を発生するために第１の運動位置から第２の運動位置まで駆動するように構成されたドライバと、
（ｉ）前記波発生面のうちの１つ以上の空気流特性、又は（ｉｉ）前記波発生面のうちの１つ以上の運動の方向若しくは速度のいずれかを修正するように構成された１つ以上のアクチュエータと
を備える、アセンブリ。
【発明の詳細な説明】
【関連出願の相互参照】
【０００１】
[001]本出願は、２０１６年１０月４日出願の米国特許仮出願第６２／４０４，０９３号の優先権を主張し、その内容は参照により本明細書に組み込まれる。
【技術分野】
【０００２】
[002]本発明は、音生成及び音発生に関する。特に本発明は、限定的なものではないが、スピーカアセンブリを含む、音を発生するための新規な構造及びアセンブリに関する。
【背景技術】
【０００３】
[003]従来のマイクロフォン及びスピーカには、様々な材料及び構成が使用される。一般に使用される１つのタイプのマイクロフォン／スピーカアセンブリは、少なくとも巻線コイルと、磁石（１つ以上）と、コイル及び磁石（１つ以上）の一方に張り付けられたダイアフラムとを備えるボイスコイルベースのアセンブリである。スピーカとしての動作では、コイルを励起すると磁場が作り出され、この磁場により磁石とコイルの間に相対運動が生じてダイアフラムが動くことになり、結果として音が発生する。
【０００４】
[004]別の一般的なスピーカ構成は静電型スピーカであり、磁場感応ダイアフラムが２つの固定子の間に配置される。交番する極性の電流によって固定子の対を励起すると交流電場が発生して、ダイアフラムが２つの固定子の間で動くことになり、結果として音が発生する。
【発明の概要】
【発明が解決しようとする課題】
【０００５】
[005]しかし、高い感度、小さいサイズ、少ない重量、単純な設計及び構造、低いコスト、製造効率及びフォームファクタの改善、及び／又は以前にはあり得なかった用途、という利点を提供しながら音出力の忠実度を改善するスピーカアセンブリが必要とされている。
【課題を解決するための手段】
【０００６】
[006]本発明は、音を発生するアセンブリを提供する。このアセンブリは、電磁場／静電場発生構造体に結合された第１の面と、電磁場／静電場感応構造体に結合された第２の面とを備える。第１の面と第２の面は、電磁場／静電場発生構造体による電磁場／静電場の発生に応答して第１の面及び第２の面の少なくとも一方が、第１の面及び第２の面のもう一方に対して押し動かされるように、互いの間をあけることができる。
【０００７】
[007]第１の面及び第２の面は、同軸上に配置された環状面とすることができる。一実施形態では、第１の面及び第２の面の一方がダイアフラムを備える。より特定の実施形態では、第１の面及び第２の面の一方が、伸張型構造体を有するダイアフラムを備える。
【０００８】
[008]第１の面と第２の面は、複数の弾性係留具によって相互連結することができる。
【０００９】
[009]第１の面及び第２の面の一方がダイアフラムを備える実施形態では、前記ダイアフラムは、可撓性を有する相互連結された複数のダイアフラムセグメントを備える。
【００１０】
[0010]第１の面及び第２の面のそれぞれは、前記第１の面と第２の面が互いに離間されるように、スペーサの両側に取り付けることができる。
【００１１】
[0011]第１の面及び第２の面の一方又は両方は、螺旋面を備えることができる。
【００１２】
[0012]第１の面及び第２の面の少なくとも一方は、１つ以上の面剛性調整装置を備えることができる。
【００１３】
[0013]第１の面及び第２の面の一方がダイアフラムである実施形態では、前記ダイアフラムには、荷電粒子、又は荷電層、又は磁気感応粒子、又は磁気感応層を配置することができる。
【００１４】
[0014]ダイアフラムは、荷電粒子又は磁気感応粒子の１つ以上の層を備えることができ、このような荷電粒子又は磁気感応粒子の各層が、２つのダイアフラム基板層の間に配置されている。
【００１５】
[0015]一実施形態では、第１の面及び第２の面の一方が、１つ以上の導電性構造体が付加された状態で又は削除された状態で形成されたダイアフラムを備える。
【００１６】
[0016]第１の面及び第２の面の一方は、それぞれの導電性構造を有する１つ以上の導電性構造体が２つのダイアフラム基板層の間に配置されたダイアフラムを備えることができる。
【００１７】
[0017]第１の面及び第２の面の一方がダイアフラムを備える実施形態では、前記ダイアフラムは導電性メッシュ構造体を備えることができ、非導電性フィラ材料が前記メッシュ構造体の導電性要素間の空間を占めており、各空間内のフィラ材料の外部周辺が、少なくとも１つの隣り合う空間内のフィラ材料の外部周辺から隔てられている。
【００１８】
[0018]第１の面及び第２の面の一方がダイアフラムを備える別の実施形態では、前記ダイアフラムは導電性メッシュ構造体を備え、空隙が前記メッシュ構造体の導電性要素間の空間を占めている。
【００１９】
[0019]第１の面及び第２の面の一方は、配置された導電性構造体を含むことができ、第１の面及び第２の面のもう一方は、配置された電磁場感応構造体を含むことができ、導電性構造体及び電磁場感応構造体は実質的に同一の構造を有する。
【００２０】
[0020]第１の面及び第２の面の一方がダイアフラムを備えるさらなる実施形態では、前記ダイアフラムに複数の導電性構造体を配置することができ、複数の導電性構造体のそれぞれは互いに電気的に分離されている。
【００２１】
[0021]複数の導電性構造体のうちの１つは電流を流すように構成することができ、複数の導電性構造体の少なくとも一方は、外部から加えられたどの電流とも分離することができる。
【００２２】
[0022]より特定の実施形態では、複数の導電性構造体のうちの１つは第１の電流を流すように構成されており、複数の導電性構造体の別の１つは第２の電流を流すように構成されており、第１の電流と第２の電流は互いに電気的に分離されている。
【００２３】
[0023]複数の導電性構造体のうちの１つは、複数の導電性構造体のうちの少なくとも１つの他のものと比較して異なる構造的特性を有することができる。
【００２４】
[0024]第１の面及び第２の面の一方がダイアフラムを備える特定の実施形態では、前記ダイアフラムは第１の断面厚さを有することができ、少なくとも１つの追加のダイアフラム領域が、第１の断面幅と等しくない断面厚さを有することができる。
【００２５】
[0025]アセンブリの一実施形態では、第１の面及び第２の面の一方がダイアフラムを備え、前記ダイアフラムは入力ダイアフラムとして構成されている。
【００２６】
[0026]アセンブリの別の実施形態では、第１の面及び第２の面の一方はダイアフラムを備え、前記ダイアフラムはマイクロフォンダイアフラムとして構成されている。
【００２７】
[0027]複数の別個の導電性構造体のうちの１つは、第１の音声チャネルに対応する第１の入力信号流に接続することができ、複数の別個の導電性構造体のうちの別の１つは、第２の音声チャネルに対応する第２の入力信号流に接続することができる。
【００２８】
[0028]第１の面及び第２の面の一方がダイアフラムを備える実施形態では、前記ダイアフラムは、流体密封区画を形成するように合わせて封止された複数の非多孔質膜を備えることができ、前記流体密封区画は、大気圧より高いガスを使用して拡張される。前記流体密封区画の境界は、複数の非多孔質膜が上に取り付けられている剛性スペーサ、及び前記流体密封区画の周辺部を画定する１つ以上の留め具のうちの１つ以上によって画定することができる。
【００２９】
[0029]別の実施形態では、本発明は音を発生するアセンブリを含むことができる。このアセンブリは、（ｉ）１つ以上の波発生面であって、前記波発生面の動きが音波を発生するように構成されており、前記１つ以上の波発生面が、往復運動、周期運動、回転運動又は楕円運動のいずれか１つが得られるように構成されている１つ以上の波発生面と、（ｉｉ）波発生面のうちの１つ以上を、可聴音を発生するために第１の運動位置から第２の運動位置まで駆動するように構成されたドライバと、（ｉｉｉ）（ａ）波発生面のうちの１つ以上の空気流特性、又は（ｂ）波発生面のうちの１つ以上の運動の方向若しくは速度、のいずれかを修正するように構成された１つ以上のアクチュエータとを備えることができる。
【図面の簡単な説明】
【００３０】
【図１Ａ】ラジアルスピーカアセンブリを示す図である。
【図１Ｂ】ラジアルスピーカアセンブリを示す図である。
【図１Ｃ】スピーカアセンブリのダイアフラムの例示的な実施形態を示す図である。
【図１Ｄ】スピーカアセンブリのダイアフラムの例示的な実施形態を示す図である。
【図１Ｅ】スピーカアセンブリのダイアフラムの例示的な実施形態を示す図である。
【図１Ｆ】スピーカアセンブリのダイアフラムの例示的な実施形態を示す図である。
【図１Ｇ】スピーカアセンブリのダイアフラムの例示的な実施形態を示す図である。
【図１Ｈ】スピーカアセンブリのダイアフラムの例示的な実施形態を示す図である。
【図２Ａ】スピーカアセンブリの係留面の実施形態を示す図である。
【図２Ｂ】スピーカアセンブリの係留面の実施形態を示す図である。
【図３Ａ】スピーカアセンブリのスペーサ取り付け面の実施形態を示す図である。
【図３Ｂ】スピーカアセンブリのスペーサ取り付け面の実施形態を示す図である。
【図３Ｃ】スピーカアセンブリのスペーサ取り付け面の実施形態を示す図である。
【図３Ｄ】スピーカアセンブリのスペーサ取り付け面の実施形態を示す図である。
【図３Ｅ】折り畳める、又は丸められるスピーカアセンブリの実施形態を示す図である。
【図３Ｆ】折り畳める、又は丸められるスピーカアセンブリの実施形態を示す図である。
【図３Ｇ】折り畳める、又は丸められるスピーカアセンブリの実施形態を示す図である。
【図４Ａ】張力調整可能スピーカアセンブリの実施形態を示す図である。
【図４Ｂ】張力調整可能スピーカアセンブリの実施形態を示す図である。
【図４Ｃ】張力調整可能スピーカアセンブリの実施形態を示す図である。
【図５Ａ】スピーカアセンブリの伸張型ダイアフラムを示す図である。
【図５Ｂ】スピーカアセンブリの伸張型ダイアフラムを示す図である。
【図６Ａ】磁気又は電荷感応粒子が設けられたスピーカアセンブリのダイアフラムを示す図である。
【図６Ｂ】磁気又は電荷感応粒子が設けられたスピーカアセンブリのダイアフラムを示す図である。
【図７Ａ】導電性構造体を備えるダイアフラム面の実施形態を示す図である。
【図７Ｂ】導電性構造体を備えるダイアフラム面の実施形態を示す図である。
【図８Ａ】１つ以上の導電性構造体が配置されたダイアフラム面の実施形態を示す図である。
【図８Ｂ】１つ以上の導電性構造体が配置されたダイアフラム面の実施形態を示す図である。
【図８Ｃ】１つ以上の導電性構造体が配置されたダイアフラム面の実施形態を示す図である。
【図８Ｄ】１つ以上の導電性構造体が配置されたダイアフラム面の実施形態を示す図である。
【図８Ｅ】１つ以上の導電性構造体が配置されたダイアフラム面の実施形態を示す図である。
【図８Ｆ】１つ以上の導電性構造体が配置されたダイアフラム面の実施形態を示す図である。
【図８Ｇ】１つ以上の導電性構造体が配置されたダイアフラム面の実施形態を示す図である。
【図８Ｈ】１つ以上の導電性構造体が配置されたダイアフラム面の実施形態を示す図である。
【図８Ｉ】１つ以上の導電性構造体が配置されたダイアフラム面の実施形態を示す図である。
【図８Ｊ】１つ以上の導電性構造体が配置されたダイアフラム面の実施形態を示す図である。
【図８Ｋ】１つ以上の導電性構造体が配置されたダイアフラム面の実施形態を示す図である。
【図９Ａ】１つ以上の導電性構造体が配置されたダイアフラム面の実施形態を示す図である。
【図９Ｂ】複数の断面を有するダイアフラム構造体を示す図である。
【図９Ｃ】１つ以上の導電性構造体が配置されたダイアフラム面の実施形態を示す図である。
【図９Ｄ】１つ以上の導電性構造体が配置されたダイアフラム面の実施形態を示す図である。
【図１０Ａ】１つ以上の導電性構造体が配置されたダイアフラム面の実施形態を示す図である。
【図１０Ｂ】１つ以上の導電性構造体が配置されたダイアフラム面の実施形態を示す図である。
【図１１】１つ以上の導電性構造体が配置されたダイアフラム面の実施形態を示す図である。
【図１２Ａ】回転スピーカアセンブリ及びその構成要素の実施形態を示す図である。
【図１２Ｂ】回転スピーカアセンブリ及びその構成要素の実施形態を示す図である。
【図１２Ｃ】回転スピーカアセンブリ及びその構成要素の実施形態を示す図である。
【図１２Ｄ】回転スピーカアセンブリ及びその構成要素の実施形態を示す図である。
【図１２Ｅ】回転スピーカアセンブリ及びその構成要素の実施形態を示す図である。
【図１２Ｆ】回転スピーカアセンブリ及びその構成要素の実施形態を示す図である。
【図１２Ｆ−Ｆ】回転スピーカアセンブリ及びその構成要素の実施形態を示す図である。
【図１２Ｇ】回転スピーカアセンブリ及びその構成要素の実施形態を示す図である。
【図１２Ｈ】回転スピーカアセンブリ及びその構成要素の実施形態を示す図である。
【図１２Ｉ】回転スピーカアセンブリ及びその構成要素の実施形態を示す図である。
【図１２Ｊ】回転スピーカアセンブリ及びその構成要素の実施形態を示す図である。
【図１２Ｋ】回転スピーカアセンブリ及びその構成要素の実施形態を示す図である。
【図１２Ｌ】回転スピーカアセンブリ及びその構成要素の実施形態を示す図である。
【図１２Ｍ】回転スピーカアセンブリ及びその構成要素の実施形態を示す図である。
【図１２Ｎ】回転スピーカアセンブリ及びその構成要素の実施形態を示す図である。
【図１２Ｏ】回転スピーカアセンブリ及びその構成要素の実施形態を示す図である。
【図１２Ｐ】回転スピーカアセンブリ及びその構成要素の実施形態を示す図である。
【図１２Ｑ】回転スピーカアセンブリ及びその構成要素の実施形態を示す図である。
【図１２Ｒ】回転スピーカアセンブリ及びその構成要素の実施形態を示す図である。
【図１２Ｓ】振動スピーカアセンブリ及びその構成要素の実施形態を示す図である。
【図１２Ｔ】振動スピーカアセンブリ及びその構成要素の実施形態を示す図である。
【図１２Ｔ−Ｔ】振動スピーカアセンブリ及びその構成要素の実施形態を示す図である。
【図１２Ｕ】本発明の教示による膜構造体をベースとする新規のスピーカアセンブリ構造体の実施形態を示す図である。
【図１２Ｖ】本発明の教示による膜構造体をベースとする新規のスピーカアセンブリ構造体の実施形態を示す図である。
【図１３】本明細書の他のところで論じられているアセンブリの１つ以上の実施形態を組み込む例示的なドラムアセンブリを示す図である。
【発明を実施するための形態】
【００３１】
[0045]本発明は、互いに固定する、又は可動とすることができる複数の面を使用して音を生成するためのアセンブリを提供する。これらの面は、実装される、熱的に活性化される、恒久的に磁化される、又は、それだけには限らないが、機械的な活性化を含む任意の他の手段によって活性化される、電磁変換器、静電変換器、圧電変換器とすることができる。
【００３２】
[0046]以下で詳細に説明するように、これらの面は、様々な構成で、自由浮動にする、拘束する、空中浮揚させる、又はこれらの組み合わせとすることができる。これらの面はそれ自体で折り畳める、丸められる、広げられる、特殊化される、又はこれらの任意の組み合わせとすることができる。
【００３３】
ラジアルスピーカアセンブリ
[0047]図１Ａに示された第１の実施形態では、本発明は、第１の半径を有する第１の円筒形面１０２と、前記第１の半径よりも小さい第２の半径を有する第２の円筒形面１０４とを含むラジアル構成スピーカアセンブリを備え、第１及び第２の円筒形面は、その長手方向軸線のまわりに同軸上に配置される。別の言い方をすると、第１及び第２の円筒形面は、第２の円筒形面が第２の円筒形面の中で入れ子になるように共通長手方向軸線のまわりで同軸上に位置合わせされる。第１の円筒形面及び第２の円筒形面の少なくとも一方が静電場／電場発生構成要素と結合され、第１の円筒形面及び第２の円筒形面のもう一方が１つ以上の静電場／電場感応構成要素と結合される。静電場／電場発生構成要素によって発生する静電場を変えると、電磁場／電場感応構成要素による運動が生じて、同軸上に入れ子になっている第１及び第２の円筒形面の面間で相対運動が生じる。本発明の一実施形態では、第１の円筒形面１０２及び第２の円筒形面１０４の一方がダイアフラム面であり、スピーカアセンブリは、静電場発生構成要素によって発生する静電場を変えることによりダイアフラムの径方向の伸長又は径方向の収縮が生じ、結果として音が発生するように構成される。
【００３４】
[0048]本発明の第１の実施形態では、ダイアフラム面は第１の円筒形面１０２を備える。本発明の別の実施形態では、ダイアフラム面は第２の円筒形面１０４を備える。
【００３５】
[0049]第１の円筒形面１０２及び第２の円筒形面１０４は、任意の数の機構部によって適所に取り付けること、又は固定できることを理解されたい。１つの実施形態では、第１と第２の円筒形面は互いに、複数の弾性又は伸縮性の係留具によって係留される。図１Ｂは、第１の円筒形面１０２及び第２の円筒形面１０４の上面図と、前記面が互いに複数の弾性係留具１０６、１０８、１１０、１１２及び１１４によって張り付けられる方法とを示す。前記弾性係留具は、第１の円筒形面１０２と第２の円筒形面１０４が、前記円筒形面の一方又は両方の伸長又は収縮による相対運動が可能になるようにして互いに張り付けられるように選択され張り付けられる。加えて、前記係留具の弾性特性は、前記円筒形面の相対運動の原因である静電場が印加されなくなると前記面がその元の構成を回復する助けになる。本発明を実施する目的のためには、第１の面及び第２の面は必ずしも完全に円筒形である必要がなく、任意の同様の、又は実質的に同様の２Ｄ又は３Ｄの形状を含んでもよいことをさらに理解されたい。
【００３６】
[0050]図１Ｃに示された一実施形態では、第１の円筒形面及び第２の円筒形面のいずれか一方（及び、一実施形態では両方）が、実質的に円筒形面又は多角形面を形成するように結合された複数のセグメント（たとえば、１１６、１１８及び１２０）から成るセグメント化面である。問題の円筒形面がダイアフラムである本発明の一実施形態では、円筒を形成するためのセグメントの結合は、１つ若しくは複数の継手、折り目、オリガミ型連結部、又はダイアフラムの伸長及び収縮を可能にする他の留め具を使用することによって実現することができる。図１Ｄは、結合されたダイアフラム構造体の上面図を示す。図１Ｃに示されたセグメントは実質的に細片形状であるが、他の任意の規則的又は不規則な形状が個々のセグメントに使用されてもよいことを理解されたい。
【００３７】
[0051]図１Ｅに示された別の実施形態では、第１の円筒形面及び第２の円筒形面の一方又は両方が可撓性螺旋構造１２２を有することができ、それにより円筒形面は、螺旋コイルを締める、又は緩めることによって伸長又は収縮することが可能になる。図１Ｆは、螺旋構造１２２を有する円筒形面の上面図を示す。本発明の一実施形態では、螺旋構造１２２はスピーカダイアフラムを含む。図１Ｅは円筒形面の螺旋構造を示すが、第１の円筒形面及び第２の円筒形面は同様に、他の任意の弾性的に伸張可能な、又は弾性的に折り畳み可能な構造を含み得ることを理解されたい。
【００３８】
[0052]図１Ｇ及び図１Ｈはそれぞれ、結合された複数のセグメント１２４、１２６、１２８を同時に備えながら螺旋構成を有する円筒形面の側面図及び上面図を示す。
【００３９】
空中浮揚された、又は吊り下げられた面を有するスピーカアセンブリ
[0053]図２Ａ及び図２Ｂに示された本発明の第２の実施形態は、第１の面２０２及び第２の面２０４を備えるスピーカアセンブリを含み、第１と第２の面は互いに複数の弾性留め具２０６〜２１２によって弾性的に張り付けられている。本発明の一実施形態では、前記弾性留め具が弾性係留具又は他の留め具２０６〜２１２を含んでもよく、これらは、励起段階では２つの面間の相対運動を可能にし、静止段階では２つの面が互いにその元の位置を再び占めることができるようにする。第１の面２０２及び第２の面２０４の少なくとも一方が静電場／電場発生構成要素に結合され、第１の面２０２及び第２の面２０４のもう一方が１つ以上の静電場／電場感応構成要素と結合される。励起段階では、静電場／電場発生構成要素によって発生する静電場／電場が変化すると、静電場／電場感応構成要素による運動が生じて、２つの面間の相対運動が生じ、静止段階では、２つの面が互いにその元の位置を再び占める。本発明の一実施形態では、第１の面２０２及び第２の面２０４の一方がダイアフラム面でもよく、スピーカアセンブリは、静電場／電場発生構成要素によって発生する静電場／電場を変えることによりダイアフラムの運動が生じ、結果として音が発生するように構成される。
【００４０】
[0054]上述の構成を用いて第１の面２０２と第２の面２０４を互いに係留する、空中浮揚させる、又は吊り下げることができ、以て、前記第１と第２の面を互いに結び付けるための別個のハウジングが不要になる。好ましい実施形態では、第１と第２の面は互いに、最適な構成で配置された２つ以上の係留具（一実施形態では、実質的に三角形で配置された合計３つの係留具を含み得る）を使用して係留される。
【００４１】
[0055]特定の実施形態では、第１及び第２の面は、たとえば一方の面の空中浮揚をもう一方に対して確実にする磁石、電荷、又は電場を使用して、互いの間で空中浮揚配置にできることを理解されたい。このような実施形態では、第１と第２の面は互いにさらに係留することができる。
【００４２】
スペーサベースのスピーカアセンブリ
[0056]図３Ａ及び図３Ｄに示された本発明の第３の実施形態は、第１の面３０２及び第２の面３０４を備えるスピーカアセンブリを含み、第１と第２の面は、少なくとも１つのスペーサアセンブリ３０６を使用して互いに動くことができるように互いの間で張り付けられる。図３Ａに示されているように、第１の面３０２と第２の面３０４は、それぞれスペーサ３０６の両側に張り付けることができ、これは、一実施形態では第１の面３０２及び第２の面３０４のそれぞれをスペーサ３０６に張り付けることによって、又は別の実施形態では面３０２及び３０４をスペーサ３０６の上に引き伸ばし、その後前記２つの面の縁部を互いに張り付けることによって、実現することができる。図３Ｂに示されるように、スペーサ３０６は、面３０２と３０４を互いに分離するスペーサ又はフレーム構造を備えることができ、以てこれらの面の間の相対運動が可能になり得る。図３Ｃ及び図３Ｄはそれぞれ、面３０２及び３０４が乗っているスペーサ３０６の斜視図を示す。励起段階では、前記２つの面３０２及び３０４がスペーサ３０６に乗っていることにより、これら２つの面の間の相対運動が可能になり、静止段階では、２つの面が互いにその元の位置を再び占めることが可能になる。第１の面３０２及び第２の面３０４の少なくとも一方が静電場／電場発生構成要素に結合されてもよく、第１の面３０２及び第２の面３０４のもう一方が１つ以上の静電場感応構成要素と結合される。励起段階では、静電場／電場発生構成要素によって発生する静電場／電場が変化すると、電磁場／電場感応構成要素による運動が生じて、２つの円筒形面の面間の相対運動が生じ、静止段階では、２つの面が互いにその元の位置を再び占める。本発明の一実施形態では、第１の面３０２及び第２の面３０４の一方がダイアフラム面でもよく、スピーカアセンブリは、磁場／電場発生構成要素によって発生する静電場／電場を変えることによりダイアフラムの動きが生じ、結果として音が発生するように構成される。
【００４３】
[0057]上述の構成を用いて第１の面３０２と第２の面３０４を互いに取り付けることができ、以て、前記第１と第２の面を互いに結び付けるための別個の外部ハウジングが不要になる。一実施形態では、第１及び第２の面３０２、３０４をスペーサ３０６に張り付けると、前記第１と第２の面の間に密封区画が作り出され、この区画は、様々な実施形態において加圧ガス、部分真空、又は通常大気圧のガス（たとえば空気）を含むことができる。
【００４４】
[0058]本発明のスペーサには、第１の面及び第２の面をスペーサに両側配置で、又は実質的に両側配置で、前記第１と第２の面が規定された離隔距離で隔てられるように取り付けることを可能にする任意のスペーサフレームが含まれ得る。図３Ｂ〜３Ｄに示されたスペーサは実質的に矩形のフレーム形状であるが、他の任意のスペーサ形状が、それだけには限らないが円形のフレーム形状、三角形のフレーム形状、又は他の任意の規則的又は不規則な多角形フレーム形状を含めて、同様に想起されることを理解されたい。
【００４５】
[0059]本発明の特定の実施形態では、上で論じた種類のスペーサベースの複数のスピーカアセンブリが可撓性を有し相互連結されて、より大きいスピーカアセンブリが形成され得る。このような構成の例示的な実施形態が図３Ｅ〜３Ｇに提示されている。図３Ｅの実施形態では、矩形アセンブリ３０６、３０８、３１２が、継手又は留め具３１４及び３１６によってより大きく直線的に構築されたアセンブリになるように組み合わされる。図３Ｆの実施形態では、矩形スピーカアセンブリ３１８、３２０、３２２、３２４、３２６、３２８が継手又は留め具３３０、３３２、３３４、３３６、３３８によって、より大きい矩形スピーカ形状になるように組み合わされる。図３Ｇに示された実施形態では、三角形スピーカアセンブリ３４０、３４２、３４４が継手３４６、３４８によって直線的に組み合わされて、より大きい不規則な形状のスピーカアセンブリを形成する。スピーカアセンブリがより大きい形状になるように組み合わされる場合、継手又は留め具（及び一実施形態では弾性又は可撓性の留め具）を使用して複数のスピーカアセンブリを組み合わせると張力が緩和されることになり、さらにそのようなより大きい形状が折り畳める、又は丸められることを確実にすることを理解されたい。
【００４６】
外部拘束体ベースのスピーカアセンブリ
[0060]図４Ａ〜４Ｃに示された本発明の代替実施形態では、スピーカアセンブリが、取り付けリング４０４などの外部拘束体に取り付けられた面４０２を備え、任意選択で、面４０２の張力変更を可能にするように構成された１つ以上の張力調整装置（たとえば、張力ロッド４０６、４０８、４１０、４１２）を備える。一実施形態では、面４０２が第２の面（図示せず）と対向することがある。励起段階では、面４０２をリング４０４に取り付けると、面４０２と前記対向する第２の面との間の相対運動が可能になり、静止段階では、２つの面が互いにその元の位置を再び占めることが可能になる。面４０２及び対向する第２の面の少なくとも一方が静電場／電場発生構成要素に結合されてもよく、面４０２及び第２の面のもう一方が１つ以上の静電場感応構成要素と結合され得る。励起段階では、静電場／電場発生構成要素によって発生する静電場／電場が変化すると、静電場／電場感応構成要素による運動が生じて、２つの面間の相対運動が生じ、静止段階では、２つの面が互いにその元の位置を再び占める。本発明の一実施形態では、面４０２がダイアフラム面でもよく、スピーカアセンブリは、磁場／電場発生構成要素によって発生する静電場を変えることによりダイアフラムの動きが生じ、結果として音が発生するように構成される。
【００４７】
伸張型ダイアフラムベースのスピーカアセンブリ
[0061]本発明の一実施形態では、スピーカアセンブリのダイアフラムは、伸張性構造体（たとえば、図５Ａ又は図５Ｂに示された折り畳み又はプリーツ構造）を有することができる。図５Ａは、フラットタイプ／シートタイプのダイアフラム５０２を示し、図５Ｂは、上で論じたラジアルスピーカアセンブリ実施形態に実装できるタイプのダイアフラム５０２を示す。ダイアフラムの伸張型（たとえばプリーツ）面構造を実現することによって、前記ダイアフラムが、実質的に同じ寸法の非伸張型ダイアフラムよりも多くの空気を動かせることが判明した。
【００４８】
磁化ダイアフラム面を有するスピーカアセンブリ
[0062]従来技術の解決策には通常、固定永久磁石及び可動電磁石を使用することが伴う。本発明は、可動永久磁石及び固定又は可動の電磁石を含むスピーカアセンブリによって音を発生させようとするものである。
【００４９】
[0063]本発明ではこれを、以下の新規のスピーカアセンブリ構成のうちの１つ以上によって実現する。
【００５０】
[0064]図６Ａに示された本発明の第１の実施形態では、可動永久磁石は、磁化されている可動スピーカ面（たとえばダイアフラム面）の形を取る。これは、それだけには限らないが、ダイアフラム面を磁性又は磁気感応の粒子及び／又は層でコーティングすること、磁性又は磁気感応の粒子及び／又は層がある前記ダイアフラム面を埋め込むこと、及び磁性又は磁気感応の粒子をダイアフラム面に付加的な印刷を用いて堆積することを含む、多くの様々な方法によって実現することができる。
【００５１】
[0065]図６Ａは、堆積された荷電粒子のコーティングを有するダイアフラム面６０２を示す。前記面を磁性又は磁気感応の粒子、又は導電性構造体でコーティングすることによって、前記面６０２は、磁気感応性又は導電性になるように構成されており、それにより前記面は、１つ以上の固定又は可動電磁石によって発生する磁場／静電場の変化に応答するようになり、或いは一代替実施形態では、導電性構造体に流れる電流を印加することによって磁場／静電場を発生させるために使用することができる。磁化粒子若しくは磁気感応粒子のコーティングを使用することによって、又はダイアフラム面６０２に導電性構造体を付けることによって、アセンブリは、かさばる磁石を必要としないようになり、スピーカアセンブリに様々な薄いフォームファクタ形状を採用できるようになる。コーティングを付けることにより磁性若しくは磁気感応の粒子、又は導電性構造体をダイアフラムに付けることに加えて、磁性若しくは磁気感応の粒子、又は導電性構造体はさらに、基板に張り付けられた金属シートのエッチングを含む削除処理によって、又は磁性若しくは磁気感応の粒子又は導電性構造体を所定のパターンで基板に堆積することを含む付加的処理によって、ダイアフラム面に埋め込むことができる。
【００５２】
[0066]図６Ｂに示された特に有利な実施形態では、ダイアフラム６０４が、磁性若しくは磁気感応の要素、粒子若しくはコーティングの層６１０、又は導電性構造体を第１の基板６０６と第２の基板６０８の間に挟むことによって形成される。この構成を採用すると、磁性若しくは磁気感応の要素、粒子若しくはコーティング、又は導電性構造体の一部又は全部が、運動、衝撃又は通常の擦り切れによりダイアフラムの外層から分離又は脱落することが著しく低減することを理解されたい。
【００５３】
[0067]磁性若しくは磁気感応の粒子、又は導電性構造体を基板に張り付ける際には、機械的、熱的又は化学的手段のいずれか１つ以上を用いることができる。荷電粒子又は磁気感応粒子を可動面に付着させることに関して、上記の実施形態のすべての教示は、１つ以上の導電性要素をスピーカアセンブリ内の可動面に張り付ける目的に同様に適用できることを理解されたい。
【００５４】
導電性構造体を有するスピーカアセンブリ
[0068]図７Ａに示された本発明の一実施形態では、スピーカアセンブリの可動面すなわちダイアフラム７０２は、電場が導電性構造体全体にわたって印加されることに応答して静電場を発生することができる導電性構造体７０４を備えることができ、導電性構造体間の１つ以上の空間は非導電性フィラ材料７０６を使用して充填され、一実施形態では、このフィラ材料は格子構造体の中に厳密に存在し、格子構造体とフィラ材料の間には重なりがない。適切なフィラ材料を選択することによって、ダイアフラム７０２は、それがスピーカアセンブリの中の可動面として機能するのに必要な、適切な可撓性又は弾性の特性を有することができる。別の実施形態では、フィラ材料は格子構造体と重なることがある。
【００５５】
[0069]図７Ｂに示された本発明の一実施形態では、スピーカアセンブリの可動面すなわちダイアフラム７０８は、格子の導電性要素間に空間７１４を有する導電性格子すなわちメッシュ構造体７１２を備え得る。空間の面積が十分に小さいことを確実にすることによって、導電性格子すなわちメッシュ構造体７１２は、スピーカアセンブリ内で音を発生させるダイアフラムとして十分に動作することが判明した。導電性材料を取り囲む膜材料を除去することによって、ダイアフラムの重量及び厚さを低減しながら同時に、ダイアフラムによって発生する静電場の電界強度が強くなり、結果として重量が少なくなり、必要な信号電力が少なくなり、設計／製造の複雑さが少なくなり、コストが低くなり、効率、感度、忠実度が高まり、薄くなり、フォームファクタの数が増えることが判明した。
【００５６】
[0070]スピーカアセンブリの上記の実施形態のすべてにおいて音響応答が、１つ以上の構造体を構成すること、電界強度、磁性若しくは磁気感応の構成要素又は導電性要素のパターン／分布、導電体サイズ、導電体の巻き数、電流、荷電粒子サイズを間隔調節すること、磁化、保磁力などによるものを含めて、高度に調整可能であることもまた判明した。本発明は、音響特性を形状、サイズ、厚さ可変性、材料、張力、懸架などに基づいて変えることをさらに可能にする。
【００５７】
構成可能導電体形状を有するスピーカアセンブリ
[0071]導電性構造体をスピーカアセンブリのダイアフラムすなわち面の中に埋め込むための、（堆積ベースの）付加形態での又は（エッチングベースの）削除形態での製造方法を用いることが、かなり薄いダイアフラム又は面の製造を可能にすること、また加えて任意の所望の形状又はサイズの導電性構造体の製造を可能にすることを含めて、いくつかの利点を提供することが判明した。
【００５８】
[0072]図８Ａ〜８Ｇは、本発明の教示に従って製造できるダイアフラム８０２〜８１４の例示的な実施形態を示す。ダイアフラム８０２は、単一の環状の螺旋形導電性構造体８０２ｂが設けられたダイアフラム面８０２ａを備える。ダイアフラム８０４は、単一の矩形の螺旋形導電性構造体８０４ｂが設けられたダイアフラム面８０４ａを備える。ダイアフラム８０６は、単一の三角形の螺旋形導電性構造体８０６ｂが設けられた三角形ダイアフラム面８０６ａを備える。ダイアフラム８０８は、実質的にｅ形の導電性構造体８０８ｂが設けられたダイアフラム面８０８ａを備える。ダイアフラム８１０は、ジグザグ形の導電性構造体８１０ｂが設けられたダイアフラム面８１０ａを備える。ダイアフラム８１２は、複数の螺旋形導電性構造体８１２ｂ〜８１２ｆが設けられたダイアフラム面８１２ａを備える。ダイアフラム８１４は、第１の螺旋形導電性構造体８１４ｂと、第１の螺旋形導電性構造体８１４ｂの中に配置された第２の螺旋形導電性構造体８１４ｃとが設けられているダイアフラム面８１４ａを備える。ダイアフラムに堆積された、又はその中に埋め込まれた導電性構造体の形状及びサイズを変えることによって、本発明は、電場又は磁場に対し特定の応答をするダイアフラムを構成できるようにすると理解されたい。図８Ｆ及び図８Ｇに示された種類の実施形態では、複数の別個の導電性構造体が同一のダイアフラムに存在することにより、ダイアフラムの第１の部分が電場又は磁場の変化に対し第１の様式で応答し、ダイアフラムの第２の部分が電場又は磁場の前記変化に対し第２の様式で応答することが可能になり、以て、別個に駆動可能な複数の領域が単一のダイアフラム内に作り出され、高度に調整可能なダイアフラム応答が可能になる。
【００５９】
[0073]図８Ｈの図では、ダイアフラム８１６は、ダイアフラム面８１６ａの中心に位置する第１の螺旋形導電性構造体８１６ｂが設けられた、また前記第１の螺旋形導電性構造体８１６ｂのまわりに第２、第３、第４及び第５の螺旋形導電性構造体８１６ｃ、８１６ｄ、８１６ｅ及び８１６ｆ（そのそれぞれが、第１の螺旋形導電性構造体８１６ｂと比較して相対的にサイズが小さい）が配置された、ダイアフラム面８１６ａを備える。
【００６０】
[0074]図８Ｉの図では、ダイアフラム８１８は、ダイアフラム面８１８ａの中心に位置する第１の螺旋形導電性構造体８１８ｂが設けられた、また前記第１の螺旋形導電性構造体８１８ｂのまわりに第２、第３、第４及び第５の螺旋形導電性構造体８１８ｃ、８１８ｄ、８１８ｅ及び８１８ｆ（そのそれぞれが、第１の螺旋形導電性構造体８１８ｂと実質的に同じサイズである）が配置された、ダイアフラム面８１８ａを備える。
【００６１】
[0075]導電性構造体の構成及び位置を変えることによって、ダイアフラムの別々の領域を別々の音響応答を得るように調整することができる。
【００６２】
[0076]さらに別の実施形態では、複数の別個の導電性構造体を複数の別個の入力信号流に接続することができ、それぞれの入力信号流が信号／音楽チャネルに対応し、以て、単一のダイアフラムによってマルチチャネル音を発生できるスピーカアセンブリが作り出される。
【００６３】
[0077]いくつかの実施形態では、導電性構造体のサイズ又は寸法を、ダイアフラムの応答を構成するように変えることができる。特定の実施形態では、ダイアフラムの第１の部分の導電性構造体の寸法特性がダイアフラムの第２の部分の導電性構造体の寸法特性と異なり、結果として、たとえば電場、磁場又は静電場の状態の変化に対する前記ダイアフラムの前記第１と第２の部分の音響応答が異なることになり得る。
【００６４】
[0078]図９Ａに示された実施形態では、ダイアフラム９０２は、第１の導電性構造体９０２ｂ及び第２の導電性構造体９０２ｃが配置されたダイアフラム面９０２ａを備え、第１の導電性構造体の幅と第２の導電性構造体の幅は著しく異なる。他の実施形態では、第１の導電性構造体及び第２の導電性構造体の各要素の形状、長さ、サイズ、厚さ、深さ、密度、巻き数、又は他の任意の寸法特性が、場の変化に対する異なる応答を確実にする意図で互いに異なり得ることを理解されよう。
【００６５】
[0079]図９Ｃの図では、ダイアフラム９１６は、第１、第２、第３及び第４の螺旋形導電性構造体９１６ｂ、９１６ｃ、９１６ｄ及び９１６ｅが設けられたダイアフラム面９１６ａを備え、導電性構造体９１６ｃ及び９１６ｄは、導電性構造体９１６ｂ及び９１６ｅよりも巻き密度が高い。
【００６６】
[0080]図９Ｄの図では、ダイアフラム９１８は、第１、第２、第３及び第４の螺旋形導電性構造体９１８ｂ、９１８ｃ、９１８ｄ及び９１８ｅが設けられたダイアフラム面９１８ａを備え、導電性構造体９１８ｃ及び９１８ｄは、導電性構造体９１８ｂ及び９１８ｅよりも巻き数が少ない。
【００６７】
[0081]導電性構造体の構成及び位置を変えることによって、ダイアフラムの別々の領域を別々の音響応答を得るように調整することができる。
【００６８】
[0082]上記の実施形態のうちの１つ以上を実施することによって、複数の別個の導電性構造体を複数の別個の入力信号流に接続することができ、それぞれの入力信号流が信号／音楽チャネルに対応し、以て、単一のダイアフラムによってマルチチャネル音を発生できるスピーカアセンブリが作り出されることを理解されたい。
【００６９】
[0083]他の実施形態では、複数の導電性構造体の位置は、所望の音響応答のダイアフラムを構成するように精密に選択することができる。たとえば、それだけには限らないが、様々な実施形態において導電性構造体は、ダイアフラム全体にわたって均一に分布することも、ダイアフラムの中心の方により高密度に分布することも、ダイアフラムの中心から離れる方に分布することもできる。
【００７０】
[0084]他の実施形態では、複数の導電性構造体の位置は、単一の膜でマルチチャネル音用のダイアフラムを構成するように精密に選択することができる。たとえば、それだけには限らないが、様々な実施形態において導電性構造体は、別の導電性構造体を囲むことができる導電性構造体がないようにダイアフラム全体にわたって均一に分布することができ、或いは、同様の形状であるが、ダイアフラムの中心と、ダイアフラムの中心に近いそれぞれの導電性構造体の端部との間の距離が増大する同心円パターンとして分布することができる。
【００７１】
[0085]ダイアフラムの音響応答はまた、いくつかの実施形態において単一のダイアフラムの中に厚さがそれぞれ異なる複数の領域を有することを含めて、ダイアフラム自体の厚さを変えることによって変更もできることをさらに理解されたい。図９Ｂは、複数の例示的なダイアフラム断面を示し、ダイアフラム９０４が均一な断面を有するのに対し、ダイアフラム９０６、９０８、９１０、９１２及び９１４は不均一な断面を有する。
【００７２】
[0086]上記の構成可能パラメータのすべてについて、導電性構造体を有するダイアフラム実施形態との関連で説明してきたが、その教示はダイアフラム面の上又は中に荷電粒子又は磁気感応粒子を堆積する、張り付ける、又は埋め込むことに同様に適用できることを理解されたい。このような実施形態において変えることができる特定のパラメータには、荷電粒子又は磁気感応粒子の選択、粒子のサイズ、面の上／中の粒子密度、粒子付着の配置又はパターン、及び粒子の磁化レベル及び／又は保磁力が含まれる。
【００７３】
[0087]音響応答を調整する目的で変えることができるダイアフラム面の特性には、ダイアフラム材料の選択、ダイアフラムの厚さ（断面が均一）、ダイアフラム厚さの可変性（ダイアフラムが不均一な断面を有するとき）、及びダイアフラムの外部張力が含まれ得る。
【００７４】
[0088]本発明の一実施形態では、ダイアフラムの外部張力は、１つ以上のダイアフラム取付具、係留具、又は張力調整装置（たとえば張力ロッド）を調整することによって調整可能である。より特定の実施形態では、ダイアフラムの張力を手作業又はアルゴリズムで調整することができる。
【００７５】
[0089]本発明の他の実施形態では、ダイアフラム特性は、可変数の保持具又は係留具を有すること、前記保持具又は係留具を配置すること、及びこのような保持具又は係留具の構造的特性（たとえば、ばね定数）によって、変えることができる。
【００７６】
[0090]適合した導電体形状及び磁気材料形状を有するスピーカアセンブリ
[0091]本発明の一実施形態では、スピーカアセンブリは、導電性構造体が配置された第１の面と、磁性又は磁気感応の構造体が配置された第２の面とを備えることができ、前記第１の面及び第２の面は、導電性構造体全体にわたって電場を加える、又は導電性構造体に流れる電流を印加すると、第１及び第２の面の一方が前記第１及び第２の面のもう一方に対して動くことになるように構成される。この実施形態では、第１の面に配置された導電性構造体と、第２の面に配置された磁性又は磁気感応の構造体とは構造上実質的に同一であり、直線的な音響応答特性を示すスピーカアセンブリが得られることが判明した。前記導電性構造体及び／又は磁性若しくは磁気感応の構造体を生成するための付加的／削除的技法をさらに適用することによって、導電性構造体及び磁性若しくは磁気感応の構造体の構造的に同一の各形状を組み合わせることが、それだけには限らないが、効率、忠実度、感度、簡単な設計、構造、重量、サイズ、コスト、フォームファクタ、及び以前にはあり得なかった用途を含めて、他のスピーカアセンブリに対する多数の改善点を提供することが判明した。
【００７７】
[0092]導電性構造体と磁性又は磁気感応の構造体との特定の相対的配置が、さらに改善された動作を提供することが判明した。たとえば、１つの実施形態では、２つの構造体は互いに隣り合っているが、どちらも他方を囲まず、他方に対する一方の相対運動は前記の構造体の平面に対して垂直である。別の実施形態では、２つの構造体は、一方が他方を囲むように互いに隣り合うことができ、この場合、２つの構造体間の相対運動は２つの構造体の平面内にあり、結果として形状変化（伸長／収縮）構造体になる。
【００７８】
[0093]図１０Ａは、第１の面１００２ａ及び第２の面１００２ｂを有するスピーカアセンブリの一実施形態を示し、第１の面１００２ａに配置された三角形導電性構造体１００４ａと、第２の面１００２ｂに配置された対応する三角形磁性構造体１００４ｂとは、実質的に同じ構造を有する。図１０Ｂは、第１の面１００６ａ及び第２の面１００６ｂを有するスピーカアセンブリの一実施形態を示し、第１の面１００６ａに配置された螺旋形導電性構造体１００８ａと、第２の面１００６ｂに配置された対応する螺旋形磁性構造体１００８ｂとは、実質的に同じ構造を有する。
【００７９】
受動又は能動ダンピングを有するスピーカアセンブリ
[0094]本発明の一実施形態では、スピーカアセンブリのダイアフラム面は、複数の個別導電性構造体を備える。前記ダイアフラム面は、少なくとも一次電流流通用導電性構造体（すなわち一次駆動導電性構造体）を備え、前記導電性構造体に流れる電流を印加することによりダイアフラムが、第２の面の方向に、若しくはそこから離れる方向に、又は前記第２の面に付随する磁場、静電場若しくは電場の方向に、若しくはそこから離れる方向に動く。ダイアフラム面は、電流を流していることもいないこともある１つ以上の二次導電性構造体をさらに備える。
【００８０】
[0095]図１１に示された実施形態では、ダイアフラム面１１０２は、配置された一次電流流通用導電性構造体１１０４と、複数の二次導電性構造体１１０６〜１１１２とを有する。二次導電性構造体のうちの１つ以上が受動構造体（両端が互いに接続されている導電性構造体）である実施形態では、ダイアフラムが動くことにより前記二次導電性構造体が、第２の面によって発生した静電場の中を動き、以て起電力、誘導電流、及び各二次導電性構造体に対応する静電場が発生する。本発明の実施形態では、１つ以上の二次導電性構造体は、一次電流流通用導電性構造体によって作り出された静電場と、各二次導電性構造体のまわりの前記発生した静電場との間の相互作用が、ダイアフラムの動きの方向に対抗し、ダイアフラム応答を制御及び微調整するためのダンピング機構として働くように構成し設置することができる。
【００８１】
[0096]本発明の他の実施形態では、１つ以上の二次導電性構造体は、各二次導電性構造体によって発生した静電場（１つ以上）が、第２の面に付随する静電場と相互作用し、二次導電性構造体の構成及び位置に応じてダイアフラムの動きの方向に対抗又は補完するように構成され設置された外部励起源によって、活性状態とすること、及び励起することができる。特定の実施形態では、二次導電性構造体のうちの１つ以上を、振幅及び方向を変えることができる直流電流／直流電流に印加されたアクティブ信号によって駆動することができる。
【００８２】
[0097]特定の実施形態では、一次及び二次導電性構造体の一方又は両方が、可変ループ長及び／又は可変巻き数を有するように構成され、それにより、効果的なループ長及び／又は巻き数を短絡によって変更し、以て、前記ループによって発生した対応する電場の強度を調整できるようになる。可変ループ長により、スピーカアセンブリの音響応答を微調整するためのさらなる機構が得られることを理解されたい。
【００８３】
[0098]図８Ｊに示された本発明の一実施形態では、ダイアフラム８２０は、ダイアフラム面８２０ａの中心に位置する第１の螺旋形導電性構造体８２０ｂが設けられた、また前記第１の螺旋形導電性構造体８２０ｂのまわりに第２、第３、第４及び第５の螺旋形導電性構造体８２０ｃ、８２０ｄ、８２０ｅ及び８２０ｆが配置された、ダイアフラム面８２０ａを備える。図で、第１の螺旋形導電性構造体は、直流電流／アクティブ信号によって駆動されるように構成された一次導電性構造体であり、第２、第３、第４及び第５の螺旋形導電性構造体８２０ｃ、８２０ｄ、８２０ｅ及び８２０ｆのそれぞれは、電流／アクティブ信号を流さない閉ループ構造体である。一次電流流通用導電性構造体及び二次閉ループ構造体の数及び位置を選択することによって、ダイアフラムは特定の音響応答を得るように調整することができる。
【００８４】
[0099]図８Ｋに示された本発明の一実施形態では、ダイアフラム８２２は、ダイアフラム面８２２ａの中心に位置する第１の螺旋形導電性構造体８２２ｂが設けられた、また前記第１の螺旋形導電性構造体８２２ｂのまわりに第２、第３、第４及び第５の螺旋形導電性構造体８２２ｃ、８２２ｄ、８２２ｅ及び８２２ｆが配置された、ダイアフラム面８２２ａを備える。図で、（ｉ）第１の螺旋形導電性構造体８２２ｂは、直流電流／アクティブ信号によって駆動されるように構成された一次導電性構造体であり、（ｉｉ）第２の螺旋形導電性構造体８２２ｃは、直流電流／アクティブ信号を流すように選択的に構成できる、又は選択的に短絡できる閉鎖可能ループで取り囲まれた閉ループを備える導電性構造体であり、（ｉｉｉ）第３の螺旋形導電性構造体８２２ｄは、直流電流／アクティブ信号を流すように構成された導電性構造体であり、（ｉｖ）第４の螺旋形導電性構造体８２２ｅは、単一の閉ループを備える導電性構造体であり、（ｖ）第５の螺旋形導電性構造体８２２ｆは、同心円状に配置された２つの閉ループを備える導電性構造体である。電流流通用導電性構造体及び閉ループ構造体の番号位置、任意のタイプを選択することによって、ダイアフラムは特定の音響応答を得るように調整することができる。
【００８５】
回転スピーカアセンブリ
[00100]本発明の一実施形態では、スピーカアセンブリは回転スピーカを備えることができ、回転速度は、音を変化させる目的で変えることができる。
【００８６】
[00101]音は、空気などの媒体を動かし変化させて入力（音声）信号に応じた媒体の圧力変化を作り出すことによって生成される。典型的なスピーカでは、これらの機能の両方が、１つの共通の駆動／制御機構を介して同じ可動面（１つ以上）によって実現される。
【００８７】
[00102]しかし、これらの機能を複数の機構、すなわち、空気の流れを作り出す第１の機構と、振幅、周波数、位相などの入力音声信号の特性を実現するように空気流を変化させる第２の機構とを介して実現させることが可能である。このような実施形態では、動力／エネルギー及び変化は、２つの別個のシステムによって対処され、この手法は、従来の音声信号増幅器を不要にすることができる。
【００８８】
[00103]このような空気流の生成は、翼、羽根、帆などの複数の構造体の動きによって実現される。エーロフォイルがこのような構造体の形状である。
【００８９】
[00104]上記のタイプの装置又はシステムは、空気流がどのようにして作り出されるかによって、すなわち、
１）振動運動（たとえば角運動、直線運動など）によって、及び
２）回転運動によって、
２つのカテゴリーに大きく分類することができる。
【００９０】
[00105]従来技術の技法には、主として羽根のピッチを制御することによって音生成をするための空気流を変化させることが伴い、さらに特有の重点がピッチの線形又はねじり制御に置かれた。
【００９１】
[00106]本発明は、空気流を変化させ音を作り出すための新規の技法を提供する。この技法は、以下を含む。
１）体積変化、折り畳みを含む直接の形状変化、及び、それだけには限らないが、以下の、方向舵、昇降舵、補助翼、ダンパ、スポイラ、エレボン、スタビレータ、フラップ、フラッペロン、トリムタブ、バランスタブ、アンチバランスタブ、サーボタブ、スラット、スロット、エーロフォイル面積変化、慣性モーメントなどのうちの１つ以上を使用することを含む、エーロフォイル制御による効果的な形状変化、などの手段によってエーロフォイルの空気流特性を変えること。
２）運動の方向及び／又は速度、並びにこのような速度の高次導関数を静的及び／又は動的ベースで変えること。
【００９２】
[00107]必要な制御は１つ以上のアクチュエータで行うことができ、アクチュエータはそれ自体が、それだけには限らないが、電磁（たとえば、ソレノイド、モータ）、電気（たとえば、バイモルフ、マルチモルフを含む、圧電）、電熱（たとえば、バイメタル板、加熱流体）、流体流（たとえば、液圧、空気圧）などを含む、多数の手段によって実現され得る。
【００９３】
[00108]さらに、このようなアクチュエータは、以下の、ロッド、振動円板、歯車、プーリー、ベルト、鎖、シングルリンク／マルチリンクのリンク板、斜板、液圧ホース、スリップリング、コミュテータ、水銀接点、誘導性、容量性、無線、光学などのうちの１つ以上によって、前記制御に影響を及ぼし得る。
【００９４】
[00109]一実施形態では、制御方法／実装は、羽根構造自体に統合することができ、雑音、設計／製造の複雑さ、コストなどが低減し、効率、信頼性、性能、忠実度、感度などが向上することになる。
【００９５】
[00110]本発明の一実施形態では、１つ以上の外部構造体を、空気流を所望の区域及び／又は方向に導く、及び／又は制限し、以て、音導管として効果的に機能するように使用することができる。
【００９６】
[00111]これらの様々な方法は、さらなる実現及び／又は向上を生み出すために、さらに個別に組み合わせることができる。例示的な実現には、特定のパラメータ（たとえば周波数応答）に最適化された複数のドライバ、同軸配置の複数のドライバ構成などが含まれる。
【００９７】
[00112]図１２Ａ〜１２Ｄは、モータ１２００ａと、前記モータに回転可能に取り付けられた回転羽根１２００ｂ〜１２００ｆとを備える、本発明の態様の第１の例示的な実施形態を示す。図１２Ａに示された第１の動作モードでは羽根１２００ｂ〜１２００ｆは第１の羽根形状を有し、図１２Ｃに示された第２の動作モードでは、羽根１２００ｂ〜１２００ｆは、第１の羽根形状とは異なる第２の羽根形状を有する。図１２Ｂ及び図１２Ｄは、それぞれ第１及び第２の動作モードにおける羽根１２００ｂの別の羽根形状をさらに示す。上で論じたように、第１と第２の動作モードの間の形状の変化は、それだけには限らないが、電磁（たとえば、ソレノイド、モータ）、電気（たとえば、バイモルフ、マルチモルフを含む、圧電）、電熱（たとえば、バイメタル板、加熱流体）、流体流（たとえば、液圧、空気圧）などを含む、任意の適切なアクチュエータ（１つ以上）によって実現することができる。図１２Ａ〜１２Ｄの実施形態では、空気流を変化させることは主に羽根の形状を変えることによって行われる。これは、上述の手段のいずれかによって実現される。好ましい実施形態では、羽根を連結するハブがなく、それゆえにハブ構造体による羽根の制御が行われない。さらに、この実施形態では羽根がロータに対して固定されているので、ねじり制御による羽根ピッチ変化により空気流を変化させること、それゆえに音を発生させることが行われない。
【００９８】
[00113]図１２Ｅ、図１２Ｆ及び図１２Ｆ−Ｆは、別の構造体１２０８を示し、回転羽根１２０８ｂ〜１２０８ｆは、それぞれ外部円筒形構造体１２０８ａに取り付けられ、各羽根は前記構造体に、１つ若しくは複数のピボット又は他の適切な連結器若しくは取付具１２０８ｇ〜１２０８ｋによって取り付けられている。羽根を円筒形構造体に旋回可能に取り付ける結果として、このような羽根の位置は選択的に変え（たとえば、図１２Ｅ及び図１２Ｆに示されたようにして、少なくとも第１の位置から第２の位置まで）、以て、羽根を覆う空気流を変化させることができる。図１２Ｅ及び図１２Ｆは構造体１２０８の上面図を示すが、図１２Ｆ−Ｆは、前記構造体１２０８、並びにその構成要素の円筒形構造体１２０８ａ、羽根１２０８ｂ、１２０８ｃ及び１２０８ｄ、及び対応する旋回可能取付具１２０８ｇ、１２０８ｈ及び１２０８ｉの断面図を示すことを理解されたい。
【００９９】
[00114]再び、羽根を連結するハブがなく、それゆえにハブ構造体により羽根の制御が行われないことは注目に値する。空気流を変化させることは主に、羽根の実効的なピッチを変えることによって実現される。ピッチ制御は、上述の手段のいずれかによって実現することができる。
【０１００】
[00115]図１２Ｇに示されたさらなる実施形態１２１２では、例示的な円筒形構造体１２０８ａすなわち回転羽根アセンブリは、音導管として使用できる外部円筒形構造体１２１２ａによって取り囲むことができる。
【０１０１】
[00116]図１２Ｈ〜図１２Ｋは、モータ１２１４ａと、モータ１２１４ａの回転軸線のまわりを回転している複数の羽根１２１４ｂ〜１２１４ｄとを備える装置１２１４の例示的な実施形態を示す。この実施形態で羽根は、羽根の縁部間にトルクが発生するように配置されることは注目に値する。空気流を変化させることは主に、花弁又は傘を開く／閉じるのと同様に羽根構造体を動かして羽根の実効的なピッチを変えることによって実現される。ピッチ制御は、前に説明した複数の手段によってそれ自体が実現され得る１つ以上のアクチュエータによって行われ、電磁に限定されない。図１２Ｈは第１の動作モードの側面図を提示し、図１２Ｊは、その正面図を提示し、羽根１２１４ｂ〜１２１４ｄが互いに比較的近接しているのに対し（いくらか圧縮された、又は半近接構成の形で）、図１２Ｉは第２の動作モードの側面図を提示し、図１２Ｋは、その正面図を提示し、羽根１２１４ｂ〜１２１４ｄが展開構成で配置されている。第１と第２の動作モード（及び他のこのような動作モード）の間で切り換えることによって、装置１２１４は空気の流れを変化させることができ、またそれに応じて、発生した空気流による音の発生を変化させることができる。
【０１０２】
[00117]図１２Ｌは、上述のタイプの例示的な羽根１２１４ｂを示し、また、その上を通過する空気流により前記羽根の端部間に発生するトルクの方向を示す。
【０１０３】
[00118]図１２Ｍ〜１２Ｏは本発明の実施形態を示し、モータには対になっている羽根の組が回転可能に取り付けられており、各対内の羽根は、他の対内の羽根に制御可能に近づける、又は遠ざけることができる。図１２Ｍ及び図１２Ｎで、装置１２２４は、対になった羽根の３つの組、すなわち第１の対１２２４ｂ、１２２４ｃ、第２の対１２２４ｄ、１２２４ｅ、第３の対１２２４ｆ、１２２４ｇを含む、６つの回転羽根１２２４ｂ〜１２２４ｇの組を有するモータ１２２４ａを備える。図１２Ｍに示された第１の動作モードでは、羽根の各対内の２つの羽根のそれぞれが互いにオフセットされており、そのため長手方向軸線に沿って見たときに、６つすべての羽根が共に見える。図１２Ｎに示された第２の動作モードでは、羽根の各対内の２つの羽根のそれぞれが互いに位置合わせされており、そのため長手方向軸線に沿って見たときに、各羽根の対のうちの１つの羽根１２２４ｂ、１２２４ｅ、１２２４ｇだけが見える。図１２Ｏは、図１２Ｍ及び図１２Ｎでより一般的に示された装置１２２４の、より特定の実施形態１２２８を示し、羽根１２２８ｂと１２２８ｃ、１２２８ｄと１２８ｅ、及び１２２８ｆと１２２８ｇの各対は、相互連結された対又は相互係留された対を含み、各対内の羽根は、係留具又は他の留め具１２２８ｈ、１２２８ｉ及び１２２８ｊを使用して互いに連結される。留め具の係留具は、各羽根対の中の羽根の最大許容離隔を限定するように選択される。各羽根対の中の羽根間の相対運動の駆動は、上述の任意の１つ以上のアクチュエータに基づくものを含めて、任意の数の方法で実現できることを理解されたい。
【０１０４】
[00119]図１２Ｐは別の装置１２３０の斜視図を示し、図１２Ｑは、その正面図を示し、羽根の２つの個別組１２３０ａ及び１２３０ｂが共通軸線に沿って取り付けられている。羽根の２つの個別組の相対回転及び／又は相対的隔離を制御することによって、前記羽根から生じる空気流を制御することができる。
【０１０５】
[00120]図１２Ｒは、本発明の別の実施形態１２３２を示し、２つの別個のモータ１２３２ａ、１２３４ａ及び対応する羽根アセンブリ１２３２ｂ、１２３４ｂが、空気流を変化させるために使用される。２つのアセンブリの一方又は両方によって生じるそれぞれの空気流を変化させることによって、空気流全体（及びこのような空気流によって発生する音を変化させることができる）。
【０１０６】
[00121]図１２Ｓ、図１２Ｔ及び図１２Ｔ−Ｔは、本発明のさらに別の実施形態１２３４を示し、圧電バイモルフを使用して振動面の形状／制御面特性を変化させることができる。図で、振動モータ１２３４ａに振動面１２３４ｂが取り付けられており、振動面１２３４ｂには複数の圧電バイモルフ１２３４ｃ〜１２３４ｅが設けられている。図１２Ｓは第１の動作モードを示し、圧電バイモルフまで伝送された信号により振動面１２３４ｂが収縮形状を呈し、図１２Ｔは第２の動作モードを示し、圧電バイモルフまで伝送された信号により振動面１２３４ｂが伸長形状を呈する。振動面１２３４ｂの形状を変化させることによって、本発明は、前記振動面の振動、並びに、それだけには限らないが、ピッチ制御、形状制御、又は前に説明した他の任意の方法を含む他の方法の１つ以上によって発生させる空気流を制御し、それに応じて、結果として得られる音響信号を制御する。図１２Ｔ−Ｔは、実施形態１２３４の側面図を、振動モータ１２３４ａによって生じる振動面１２３４ｂの振動運動を示す図で示す。
【０１０７】
膜／ダイアフラム構築
[00122]空気を変位させるためにダイアフラム／面は、理想的にはそれ自体が変形して効率がなくなると共に変位した空気に歪みが導入されないように、堅いものである必要がある。しかし、堅さを得るための通常の方法は、ダイアフラム／面を強固にすることであり、これには適切な補強及び他の方法を要し、それゆえに重量が付加され、そうして効率が低下し、それゆえに忠実度が低下する。
【０１０８】
[00123]本発明は、非常に軽量であるが堅いダイアフラム／面を実現する。このダイアフラム材料は、応力及び運動を受けてもその形状を維持できる中空の、それゆえに軽量のポリマーフォームなどの材料の層から成る。この場合、このダイアフラム／面は、膜状の材料の非常に薄い層を用いて、それがダイアフラム／面を完全に封じ込め、強度及び構造的完全性を与えるように、ダイアフラム／面を全側面から覆うことによってさらに強化される。
【０１０９】
[00124]図１２Ｕ及び図１２Ｖに示された好ましい実施形態で、本発明は、重量に関連する顕著な利点（すなわち知られている構造体よりも著しく軽い）をもたらしながら例外的強度及び／又は堅さを有することが判明した追加構造体１２３８を提供する。構造体１２３８は、非多孔質材料の２つの薄い膜１２３８ａ及び１２３８ｂ（又は単一の、それ自体が折り重ねられた膜）を含み、これらの膜は、互いに重ね合わせ（好ましくは、本明細書で前に論じられたタイプのスペーサ１２３８ｄによって隔てられて）、縁部で封止することができる。次に、得られた封止区画の中に加圧ガス（たとえば空気）を導入することができる。膨張するガスの性質が構造体全体に、非常に軽量でありながら剛性を与え、それゆえに堅さを与える。任意選択で、たとえば１つ以上の留め具１２３８ｃ、１２３８ｅ（たとえば、リベット、星形ステープル、ワイヤ又は他の留め具）である軽量機構を使用して、構造体全体が気球又はレンズのように不均一に膨張しないようにすることができる。この構造体は、構造的完全性を支えるために軽くて強い、たとえば軽量中空管である内部スペーサ１２３８を使用することによって堅くすることができる。このようなダイアフラムは、音響信号を発生するための制約された用途、又は非制約の用途の両方に使用することができ、非常に軽いが堅く、以て、コストを下げながら効率、忠実度、出力を向上させ、設計／製造性を簡単にすることが判明した。
【０１１０】
[00125]加えて、より優れた完全性及び／又は信頼性を得るために、導電体又は磁性材料を外面（１つ以上）で、さらには内面でも、ダイアフラムと対にすることができる。
【０１１１】
ドラムアセンブリ
[00126]本発明の一実施形態では、１つ以上のアセンブリをドラムアセンブリとして実現することができ、このドラムダイアフラムは、上で論じたダイアフラム特性のうちのいずれか１つ以上を有することができ、ドラムダイアフラムの音響又は衝突応答が、それだけには限らないが、ステッピングモータ、又はトーションねじ、又は上で論じた他の機構を含む、当業者には明らかな任意の手段を使用して調整されてもよい。
【０１１２】
[00127]図１３は、ドラム本体１２３０２と、導電性構造体１３０６が形成された第１の面１３０６と、磁性又は磁気感応の粒子が配置された第２の面１３０８とを含む、例示的なドラムアセンブリ１３００の分解組立図を示す。
【０１１３】
[00128]本発明の上述のアセンブリによる導電性構造体と磁性又は磁気感応の構造体との組み合わせをドラムアセンブリの中で実施することによって、本発明は、（ｉ）一体としたドラム／スピーカ、（ｉｉ）一体としたドラム／マイクロフォン、（ｉｉｉ）一体としたドラム／スピーカ／マイクロフォン、又は（ｉｖ）微調整可能ドラム、を含む多数の最終用途適用を可能にすることを理解されたい。上で論じたようにドラムアセンブリは、受動的若しくは標準的なものにする、内部で能動的に微調整可能にするか張力をかける、又は外部から調整可能にするか張力をかけることができる（手作業又はアルゴリズムで）。
【０１１４】
組み込みマイクロフォンアセンブリ
[00129]本発明の重要な特徴は、上述のアセンブリ又は構成のいずれかを使用して、固有の組み込みマイクロフォンを作り出すことである。マイクロフォンは複数のモードで、すなわち、スピーカだけのモード、マイクロフォンだけのモード、スピーカ／雑音消去（ＮＣ）組み合わせモードで使用することができる。これには、雑音の多い環境、たとえば作業場、乗り物などにおいて、さらなる用途がある。マイクロフォンの非常に大きい音収集面積によりマイクロフォンが高感度になり、したがって広範囲の用途に配備可能になる。アセンブリが薄いことで、アセンブリを使用できる用途が増進する。
【０１１５】
[00130]薄型／平型音響技術は、サウンドレンジ全体に完全に適用可能である。システムは、それだけには限らないが、単独型、スタンド／壁／天井／扉取り付け、家具取り付け（たとえば、テーブル下側、椅子背面／ヘッドレスト）、車両ヘッドレスト（標準／カスタム／耳ごとのアクティブ雑音消去付き、又はなし）、別の物品、たとえばランプの笠に巻き付け／一体化、照明器具、又は個人用／携帯型の形のたとえばヘッドフォン、イヤフォン、財布など、可能な形及び／又は用途を想像に任せて含む、様々な形を取ることができる。
【０１１６】
[00131]すべての適用例をさらに、様々なモードで、すなわち、スピーカだけのモード、マイクロフォンだけのモード、アクティブ雑音低減／消去のためのスピーカ／マイクロフォン組み合わせモードで、使用することができる。適用可能モードは、ユーザ及び／又はアプリケーションにより動的に選択することができる。
【０１１７】
[00132]本発明の例示的な実施形態について本明細書で説明し例示したが、これらは例示的なものに過ぎないことを理解されよう。当業者には、添付の特許請求の範囲によって定義された本発明の趣旨及び範囲から逸脱すること又は背くことなく、形状及び細部の様々な修正が加えられてもよいことが理解されよう。加えて、例示的に本明細書で適切に開示された本発明は、本明細書に具体的に開示されていないどんな要素もなしに実施することができ、また、具体的に企図された特定の実施形態では、本明細書に具体的に開示されていないどんな要素もなしに実施されることが意図されている。
【図１Ａ】
2019530375.tif 000003
【図１Ｂ】
2019530375.tif 000004
【図１Ｃ】
2019530375.tif 000005
【図１Ｄ】
2019530375.tif 000006
【図１Ｅ】
2019530375.tif 000007
【図１Ｆ】
2019530375.tif 000008
【図１Ｇ】
2019530375.tif 000009
【図１Ｈ】
2019530375.tif 000010
【図２Ａ】
2019530375.tif 000011
【図２Ｂ】
2019530375.tif 000012
【図３Ａ】
2019530375.tif 000013
【図３Ｂ】
2019530375.tif 000014
【図３Ｃ】
2019530375.tif 000015
【図３Ｄ】
2019530375.tif 000016
【図３Ｅ】
2019530375.tif 000017
【図３Ｆ】
2019530375.tif 000018
【図３Ｇ】
2019530375.tif 000019
【図４Ａ】
2019530375.tif 000020
【図４Ｂ】
2019530375.tif 000021
【図４Ｃ】
2019530375.tif 000022
【図５Ａ】
2019530375.tif 000023
【図５Ｂ】
2019530375.tif 000024
【図６Ａ】
2019530375.tif 000025
【図６Ｂ】
2019530375.tif 000026
【図７Ａ】
2019530375.tif 000027
【図７Ｂ】
2019530375.tif 000028
【図８Ａ】
2019530375.tif 000029
【図８Ｂ】
2019530375.tif 000030
【図８Ｃ】
2019530375.tif 000031
【図８Ｄ】
2019530375.tif 000032
【図８Ｅ】
2019530375.tif 000033
【図８Ｆ】
2019530375.tif 000034
【図８Ｇ】
2019530375.tif 000035
【図８Ｈ】
2019530375.tif 000036
【図８Ｉ】
2019530375.tif 000037
【図８Ｊ】
2019530375.tif 000038
【図８Ｋ】
2019530375.tif 000039
【図９Ａ】
2019530375.tif 000040
【図９Ｂ】
2019530375.tif 000041
【図９Ｃ】
2019530375.tif 000042
【図９Ｄ】
2019530375.tif 000043
【図１０Ａ】
2019530375.tif 000044
【図１０Ｂ】
2019530375.tif 000045
【図１１】
2019530375.tif 000046
【図１２Ａ】
2019530375.tif 000047
【図１２Ｂ】
2019530375.tif 000048
【図１２Ｃ】
2019530375.tif 000049
【図１２Ｄ】
2019530375.tif 000050
【図１２Ｅ】
2019530375.tif 000051
【図１２Ｆ】
2019530375.tif 000052
【図１２Ｆ−Ｆ】
2019530375.tif 000053
【図１２Ｇ】
2019530375.tif 000054
【図１２Ｈ】
2019530375.tif 000055
【図１２Ｉ】
2019530375.tif 000056
【図１２Ｊ】
2019530375.tif 000057
【図１２Ｋ】
2019530375.tif 000058
【図１２Ｌ】
2019530375.tif 000059
【図１２Ｍ】
2019530375.tif 000060
【図１２Ｎ】
2019530375.tif 000061
【図１２Ｏ】
2019530375.tif 000062
【図１２Ｐ】
2019530375.tif 000063
【図１２Ｑ】
2019530375.tif 000064
【図１２Ｒ】
2019530375.tif 000065
【図１２Ｓ】
2019530375.tif 000066
【図１２Ｔ】
2019530375.tif 000067
【図１２Ｔ−Ｔ】
2019530375.tif 000068
【図１２Ｕ】
2019530375.tif 000069
【図１２Ｖ】
2019530375.tif 000070
【図１３】
2019530375.tif 000071
【国際調査報告】
2019530375.tif 000072
2019530375.tif 000073